(57)【要約】【課題】座り心地等を改善する。【解決手段】折り畳み椅子は、板状に形成され平面視において直線状に形成された座面曲げ部を有し座面曲げ部を支点に２つに折り曲げ可能な座面部と、板状に形成され相互に対向して配置されて座面曲げ部の延伸方向に対して直角方向へ相互に開閉可能に構成され開状態において座面部を支持する２つの側面部と、を備える。折り畳み椅子は、２つの側面部が相互に離間して開状態になると座面部が開いて座面部において座面曲げ部の延伸方向の両端部が反り上がっていると共に中央部が盛り上がったＷ字状の座面が形成され、２つの側面部が相互に接近して閉状態になると座面部が座面曲げ部を支点に２つに折れ曲がって折り畳まれる。【選択図】図１
2019130233.tif 000002
【特許請求の範囲】
【請求項１】
板状に形成され、平面視において直線状に形成された座面曲げ部を有し前記座面曲げ部を支点に２つに折り曲げ可能な座面部と、
板状に形成され、相互に対向して配置されて前記座面曲げ部の延伸方向に対して直角方向へ相互に開閉可能に構成され開状態において前記座面部を支持する２つの側面部と、を備え、
２つの前記側面部が相互に離間して開状態になると前記座面部が開いて前記座面部において前記座面曲げ部の延伸方向の両端部が反り上がっていると共に中央部が盛り上がったＷ字状の座面が形成され、２つの前記側面部が相互に接近して閉状態になると前記座面部が前記座面曲げ部を支点に２つに折れ曲がって折り畳まれる、
折り畳み椅子。
【請求項２】
前記開状態において、前記側面部の下端部から前記座面部の前記両端部までの距離は、前記側面部の下端部から前記座面部の前記中央部までの距離よりも長い、
請求項１に記載の折り畳み椅子。
【請求項３】
板状に形成され、平面視において直線状に形成された座面曲げ部を有し前記座面曲げ部を支点に２つに折り曲げ可能な座面部と、
板状に形成され、相互に対向して配置されて前記座面曲げ部の延伸方向に対して直角方向へ相互に開閉可能に構成され開状態において前記座面部を支持する２つの側面部と、を備え、
２つの前記側面部が相互に離間して開状態になると前記座面部が開いて座面が形成されると共に前記側面部が底面視において前記座面曲げ部の延伸線上及び前記座面曲げ部に対する直角線上を頂点とするひし形状に開口し、２つの前記側面部が相互に接近して閉状態になると前記座面部が前記座面曲げ部を支点に２つに折れ曲がって折り畳まれる、
折り畳み椅子。
【請求項４】
板状に形成され、平面視において直線状に形成された座面曲げ部を有し前記座面曲げ部を支点に２つに折り曲げ可能な座面部と、
板状に形成され、相互に対向して配置されて前記座面曲げ部の延伸方向に対して直角方向へ相互に開閉可能に構成され開状態において前記座面部を支持する２つの側面部と、を備え、
前記側面部は、
対向する前記側面部に接続されて当該対向する前記側面部から離間不可な接続領域と、
対向する前記側面部に接続されておらず当該対向する前記側面部から離間可能な側面領域と、
前記側面領域と前記接続領域との境界部分に形成され前記側面領域と前記接続領域とを折り曲げ可能にする２つの接続曲げ部と、を有し、
前記接続曲げ部は、前記座面部側から前記側面部の下端部側へ向かってＳ字状又は逆Ｓ字状に湾曲している、
折り畳み椅子。
【請求項５】
前記座面部と２つの前記側面部とは、一体成型されている、
請求項１から４のいずれか一項に記載の折り畳み椅子。
【発明の詳細な説明】
【技術分野】
【０００１】
本発明の実施形態は、折り畳み椅子に関する。
【背景技術】
【０００２】
例えば特許文献１のように、携帯性や収納性等を考慮し、板状の部材によって軽量でかつ折り畳み可能に構成された折り畳み椅子がある。しかしながら、従来構成の折り畳み椅子は、座り心地や強度、更には携帯性等に関して未だ改善の余地があった。
【先行技術文献】
【特許文献】
【０００３】
【特許文献１】特開２０１６−２７８３６号公報
【発明の概要】
【発明が解決しようとする課題】
【０００４】
そこで、本発明の目的は、座り心地、強度、又は携帯性の少なくとも一つを改善することができる折り畳み椅子を提供することにある。
【課題を解決するための手段】
【０００５】
実施形態の折り畳み椅子は、板状に形成され、平面視において直線状に形成された座面曲げ部を有し前記座面曲げ部を支点に２つに折り曲げ可能な座面部と、板状に形成され、相互に対向して配置されて前記座面曲げ部の延伸方向に対して直角方向へ相互に開閉可能に構成され開状態において前記座面部を支持する２つの側面部と、を備える。
【０００６】
前記折り畳み椅子は、２つの前記側面部が相互に離間して開状態になると前記座面部が開いて前記座面部において前記座面曲げ部の延伸方向の両端部が反り上がっていると共に中央部が盛り上がったＷ字状の座面が形成され、２つの前記側面部が相互に接近して閉状態になると前記座面部が前記座面曲げ部を支点に２つに折れ曲がって折り畳まれる。
【０００７】
また、前記折り畳み椅子は、２つの前記側面部が相互に離間して開状態になると前記座面部が開いて座面が形成されると共に前記側面部が底面視において前記座面曲げ部の延伸線上及び前記座面曲げ部に対する直角線上を頂点とするひし形状に開口し、２つの前記側面部が相互に接近して閉状態になると前記座面部が前記座面曲げ部を支点に２つに折れ曲がって折り畳まれる。
【０００８】
また、前記折り畳み椅子において、前記側面部は、対向する前記側面部に接続されて当該対向する前記側面部から離間不可な接続領域と、対向する前記側面部に接続されておらず当該対向する前記側面部から離間可能な側面領域と、前記側面領域と前記接続領域との境界部分に形成され前記側面領域と前記接続領域とを折り曲げ可能にする２つの接続曲げ部と、を有し、前記接続曲げ部は、前記座面部側から前記側面部の下端部側へ向かってＳ字状又は逆Ｓ字状に湾曲している。
【図面の簡単な説明】
【０００９】
【図１】一実施形態による折り畳み椅子の開状態を示す斜視図
【図２】一実施形態による折り畳み椅子の開状態を示す正面図
【図３】一実施形態による折り畳み椅子の開状態を示す平面図
【図４】一実施形態による折り畳み椅子の開状態を示す底面図
【図５】一実施形態による折り畳み椅子の開状態を示す左側面図
【図６】一実施形態による折り畳み椅子の閉状態を示す斜視図
【図７】一実施形態による折り畳み椅子の閉状態を示す正面図
【図８】一実施形態による折り畳み椅子の閉状態を示す平面図
【図９】一実施形態による折り畳み椅子の閉状態を示す底面図
【図１０】一実施形態による折り畳み椅子の閉状態を示す左側面図
【図１１】一実施形態による折り畳み椅子の組立前の状態を示す平面図
【発明を実施するための形態】
【００１０】
一実施形態による折り畳み椅子について、図面を参照して説明する。
各図において、図１〜図５は、折り畳み椅子１０の開状態つまり使用時の状態を示す図である。図６〜図１０は、折り畳み椅子１０の閉状態つまり折り畳み時の状態を示す図である。また、図１１は、折り畳み椅子１０の組立前の状態を示す図である。なお、折り畳み椅子１０の開状態を示す右側面図は、図５に示す左側面図の鏡像になるため省略している。同様に、折り畳み椅子１０の開状態を示す右側面図は、図１０に示す左側面図の鏡像になるため省略している。
【００１１】
以下の説明においては、折り畳み椅子１０を単に椅子１０と称する。また、以下の説明において、椅子１０の前後、左右、及び上下は、椅子１０を使用する際の使用者の姿勢を基準としており、具体的には各図に矢印で示す通りである。そして、以下の説明において、平面視とは、椅子１０を上方から見た態様を意味し、側面視とは、椅子１０を左右側方から見た態様を意味する。また、同様に、正面視及び背面視とは、椅子１０を正面側及び背面側から見た態様を意味する。なお、椅子１０の前後、左右、及び上下は、説明を容易にするために便宜的に設定したものであり、椅子１０の使用態様を限定するものではない。
【００１２】
また、以下の説明において、山折りとは、各部材に形成された溝状の曲げ部を挟んで両側に位置する２つの領域が、互いに離間する方向へ折れ曲がることをいう。また、谷折りとは、曲げ部を挟んで両側に位置する２つの領域が、互いに接近する方向へ折れ曲がることをいう。
【００１３】
椅子１０は、図１〜図５に示す開状態つまり使用状態と、図６〜図１０に示す閉状態つまり折り畳み状態とに相互に切替可能に構成されている。折り畳み椅子１０は、図１等に示す開状態となることで椅子としての機能を発揮し、図６等に示す閉状態となることで全体として板状に折り畳まれる。使用者は、椅子１０を図１に示す開状態にして使用する。また、使用者は、例えば椅子１０を持ち運ぶ際に、図６に示すように椅子１０を閉状態にして折り畳むことができる。
【００１４】
図１等に示すように、椅子１０は、１つの座面部２０と、２つの側面部３０と、を備えている。椅子１０は、例えばポリプロピレン等の樹脂製の成型品である。本実施形態の場合、座面部２０と側面部３０とは、例えば図１１に示すように１枚の平坦な板状に一体成形されている。この場合、座面部２０と側面部３０とは、境界曲げ部１１を介して接続されている。なお、座面部２０及び側面部３０は、例えば一方又は両方を金属板等で構成しても良いし、それぞれ別体に構成しても良い。
【００１５】
座面部２０は、椅子１０の使用時に使用者の臀部を受ける座面を構成する。座面部２０は、図１及び図６に示すように、２つに折り曲げ可能に構成されている。座面部２０は、図１及び図２に示すように、椅子１０の開状態において、正面及び背面から見て左右方向の両端部２０１が反り上がるとともに中央部２０２が盛り上がるように湾曲したいわゆるＷ字状の板状の座面を形成する。この場合、図２に示すように、椅子１０の開状態において、側面部３０の下端部つまり椅子１０の設置面から座面部２０の左右両端部２０１までの距離Ｈａ１は、側面部３０の下端部つまり椅子１０の設置面から座面部２０の中央部２０２までの距離Ｈａ２よりも長く設定されている。すなわち、椅子１０の設置面から座面部２０の左右両端部２０１までの高さ寸法Ｈａ１は、椅子１０の設置面から中央部２０２までの高さ寸法Ｈａ２よりも高く設定されている。したがって、椅子１０の使用時において、座面部２０の左右両端部２０１は、中央部２０２よりも上側に位置している。
【００１６】
座面部２０は、図３及び図１１に示すように、平面視において、全体として左右方向へ細長く左右中央部が湾曲に窪んだ略円形状に形成されている。この場合、椅子１０の長手方向すなわち座面部２０の長手方向は、椅子１０の左右方向となる。換言すれば、座面部２０は、平面視において、いわゆるラグビーボールの断面形状のように全体として円形の前側を左右側方へ向かって先細らせた形状であるとともに、長手方向の中央部分を窪ませた形状に形成されている。
【００１７】
また、図１等に示すように、座面部２０は、座面曲げ部２１を有している。座面曲げ部２１は、座面部２０の外側面に形成された山折りの溝部であり、平面視において座面部２０の長手方向つまり椅子１０の左右方向に沿って直線状に形成されている。すなわち、座面曲げ部２１は、図１１に示すように、椅子１０が組み立てられていない状態において、座面部２０の長手方向に沿って直線状に形成されている。座面部２０は、図６等に示すように、座面曲げ部２１を支点に山折りに折れ曲がることで、２つに折り曲げ可能に構成されている。座面部２０は、図３等に示すように、座面曲げ部２１に対して前後対称かつ左右対称に構成されている。この場合、座面部２０は、座面曲げ部２１によって前後２つの領域に区分されている。
【００１８】
２つの側面部３０は、図１及び図５等に示すように、椅子１０の開状態で座面部２０を支持するものであり、相互に前後方向に対向して配置されている。すなわち、側面部３０は、図１等に示す開状態の椅子１０において、椅子１０の側面部分を構成する。図１等に示すように、椅子１０を開状態で使用する際、側面部３０の下端部分の少なくとも一部又は全体が地面つまり設置面と接触する。側面部３０は、図２等に示すように、全体として略矩形の板状に形成されている。本実施形態の場合、側面部３０は、図２及び図７に示すように、左右対称形状に構成されている。なお、側面部３０は、左右非対称に構成しても良い。
【００１９】
座面部２０と側面部３０とは、境界曲げ部１１によって接続されている。すなわち、境界曲げ部１１は、座面部２０と側面部３０とを区切る境界部分である。境界曲げ部１１は、座面部２０及び側面部３０の外側面に形成された山折りの溝部である。境界曲げ部１１は、図７及び図１１等に示すように、閉状態の椅子１０の左右方向の全長のうち中央部側の１／２程度の範囲に設けられている。境界曲げ部１１は、図２及び図７に示すように、正面及び背面から見て左右方向の両端部１１１が反り上がるとともに中央部１１２が盛り上がるように湾曲したいわゆるＷ字状に形成されている。この場合、椅子１０の閉状態において、側面部３０の下端部つまり椅子１０の設置面から境界曲げ部１１の左右両端部１１１までの距離Ｈｂ１は、側面部３０の下端部つまり椅子１０の設置面から境界曲げ部１１の中央部１１２までの距離Ｈｂ２よりも短く設定されている。
【００２０】
側面部３０は、図１及び図２等に示すように、２つの接続曲げ部３１と、２つの側面曲げ部３２と、を有している。接続曲げ部３１は、側面部３０の内側面に形成された谷折りの溝部である。側面曲げ部３２は、側面部３０の外側面に形成された山折りの溝部である。接続曲げ部３１は、接続領域３３の長手方向すなわち上下方向に沿ってＳ字状又は逆Ｓ字状に形成された谷折りの溝部である。
【００２１】
接続曲げ部３１は、図７に示すように、側面部３０において左右両端側寄りの部分にあって、側面部３０の上下方向に亘って設けられている。本実施形態の場合、接続曲げ部３１は、上下方向すなわち座面部２０側から側面部３０の下端側へ向かって、Ｓ字又は逆Ｓ字形状に湾曲するように延びている。この場合、図７等に示すように、１つの側面部３０に設けられた２つの接続曲げ部３１のうち、向かって右側の接続曲げ部３１は、上下方向に延びると共に緩やかなＳ字形状に湾曲した形状に形成されている。また、向かって左側の接続曲げ部３１は、上下方向に延びると共に緩やかな逆Ｓ字形状に湾曲した形状に形成されている。
【００２２】
すなわち、１つの側面部３０に設けられた２つの接続曲げ部３１は、それぞれ左右対称に構成されている。この場合、接続曲げ部３１は、図７等に示すように、座面部２０側から椅子１０の上下方向の中心よりも上側の位置にかけて左右方向の中央側へ向かって窪むように湾曲し、その後、側面部３０の下端部にかけて左右方向の外側へ向かって膨らむように湾曲した形状に形成されている。
【００２３】
側面曲げ部３２は、側面部３０において左右方向の中央側寄りの部分にあって、側面部３０の上下方向に亘って設けられている。この場合、側面曲げ部３２は、図７等に示すように、側面部３０における座面部２０側から下端側に亘り、接続曲げ部３１の左右端部から側面部３０の左右方向の中心部に向かって湾曲した形状に形成されている。この場合、側面部３０に設けられた２つの側面曲げ部３２は、側面部３０の下端部で相互に接して、つまり交わっている。
【００２４】
また、側面部３０は、２つの接続領域３３と、２つの側面領域３４と、を有している。接続領域３３は、側面部３０の左右両端部分に設けられている。接続領域３３は、対向する他方の側面部３０に接続された領域であって、当該対向する他方の側面部３０から離間不可に構成されている。この場合、２つの側面部３０は、対向する２つの側面部３０の接続領域３３をそれぞれ重ね合わせた状態で、リベット１２等の締結部品によって相互に接続されている。
【００２５】
接続領域３３は、上下方向すなわち座面部２０側から側面部３０の下端側へ向かって細長く伸びた、Ｓ字又は逆Ｓ字形状に湾曲した帯状に形成されている。この場合、図７等に示すように、１つの側面部３０に設けられた２つの接続領域３３のうち、向かって右側の接続領域３３はＳ字形状に形成され、向かって左側の接続領域３３は逆Ｓ字形状に形成されている。
【００２６】
具体的には、接続領域３３は、図２に示すように、座面部２０側から椅子１０の上下方向の中心よりも上側の位置にかけて左右方向の中央側へ向かって窪むように湾曲し、その後、側面部３０の下端部にかけて左右方向の外側へ向かって膨らむように湾曲した形状に形成されている。そのため、側面部３０は、図２及び図７等に示すように、くびれ部３３１及び膨出部３３２を有している。くびれ部３３１は、接続領域３３の上下方向の途中部分において、側面部３０の左右方向の中心側へ向かって湾曲形状にくびれた部分である。膨出部３３２は、接続領域３３の上下方向の途中部分でかつくびれ部３３１の下方に設けられ、側面部３０の左右方向の外側へ向かって湾曲形状に膨出した部分である。
【００２７】
この場合、図２に示すように、椅子１０の開状態において、側面部３０における左右両端のくびれ部３３１間の距離Ｌａ２は、側面部３０の上端の長さ寸法Ｌａ１よりも小さい。また、図７に示すように、椅子１０の閉状態において、側面部３０における左右両端の膨出部３３２間の距離Ｌｂ２は、側面部３０の上端の長さ寸法Ｌｂ１とほぼ等しい。なお、この場合、「ほぼ等しい」とは、膨出部３３２間の距離Ｌｂ２と側面部３０の上端の長さ寸法Ｌｂ１とが完全に等しいことまでは必要とせず、製造の際に生じる寸法誤差はもちろん、左右片側につき接続領域３３の左右方向の幅程度の差であれば許容される。
【００２８】
側面領域３４は、側面部３０全体のうち大部分を占める領域である。接続領域３３と側面領域３４とは、接続曲げ部３１によって区分されている。側面領域３４は、対向する他方の側面部３０に接続されていない領域であって、当該対向する他方の側面部３０から離間可能に構成されている。本実施形態の場合、各側面領域３４は、それぞれ１つの第１側面領域３４１と、２つの第２側面領域３４２と、を有している。
【００２９】
第１側面領域３４１は、側面部３０において、境界曲げ部１１と２つの側面曲げ部３２とで囲まれた領域である。第１側面領域３４１は、側面部３０の左右中央部に位置しており、全体として下方へ尖った略半円形状に形成されている。第２側面領域３４２は、側面部３０において、接続曲げ部３１と側面曲げ部３２との間に設けられた領域である。各第２側面領域３４２は、それぞれ第１側面領域３４の左右両側に設けられている。
【００３０】
第２側面領域３４２と接続領域３３とは、接続曲げ部３１を支点にして谷折り方向に折り曲げ可能である。また、第１側面領域３４１と第２側面領域３４２とは、側面曲げ部３２を支点にして山折り方向に折り曲げ可能である。これにより、椅子１０は、図３等に示すように、前後方向へ相互に膨らむように離間可能に構成されている。したがって、椅子１０は、座面曲げ部２１の延伸方向に対して直角方向、つまり前後方向へ相互に開閉可能に構成されている。そして、側面部３０は、椅子１０の開状態において座面部２０を支持する。
【００３１】
また、本実施形態の場合、底面視において座面曲げ部２１の延伸線上、及び座面曲げ部２１の中心を通る座面曲げ部２１に対する直角線上を頂点とするひし形状に開口する。すなわち、以下の説明では、図４に示すように、底面視において、座面曲げ部２１の延伸方向に沿った仮想線つまり座面曲げ部２１に沿った左右方向の仮想線を線Ｙとする。また、底面視において、座面曲げ部２１の中心つまり椅子１０の中心を通りかつ線Ｙに直角方向に延びる仮想線を線Ｘとする。この場合、線Ｘは、椅子１０の使用時における使用者及び椅子１０の前後方向となり、線Ｙは、椅子１０の使用時における使用者及び椅子１０の左右方向となる。そして、２つの側面部３０は、椅子１０の開状態において、前後方向の線Ｘ上及び左右方向の線Ｙ上に頂点３５、３６を有するひし形状に開口する。
【００３２】
また、椅子１０は、図１等に示すように、持ち手部１３及び止め具１４を備えている。持ち手部１３は、側面部３０の第１側面領域３４１において、やや下側寄り部分に設けられている。持ち手部１３は、第１側面領域３４１を左右方向に長い略長穴形状に貫いて形成されている。使用者は、持ち手部１３を、椅子１０を携帯する際の持ち手として使用することができる。
【００３３】
止め具１４は、例えば金属製や樹脂製のスナップボタンやフックなどである。止め具１４は、側面部３０において、左右方向の中央部でかつ上下方向のやや下側より部分に設けられている。この場合、止め具１４は、持ち手部１３の左右方向の中央部でかつ持ち手部１３の上側つまり座面部２０側に設けられている。使用者は、椅子１０を閉状態にした場合に、２つの側面部３０、３０の止め具１４、１３を相互に係止させる。これにより、椅子１０は、２つの側面部３０、３０が離間して開くことが防止されて、板状に折り畳まれた状態に保持される。なお、持ち手部１３の具体的形状や位置、及び止め具１４の種類や個数や位置等は、本実施形態のものに限られず、適宜変更することができる。
【００３４】
このように構成された椅子１０は、図１及び図７に示すように、境界曲げ部１１、座面曲げ部２１、接続曲げ部３１、及び側面曲げ部３２の作用によって、前後方向すなわち側面部３０の厚み方向へ開閉可能となる。すなわち、椅子１０は、境界曲げ部１１、座面曲げ部２１、接続曲げ部３１、及び側面曲げ部３２を曲げ伸ばしすることにより、開状態と閉状態とに開閉可能に構成されている。そして、椅子１０は、開状態において、図１〜図５に示すように、一方側つまり下方側が開口した容器状となり、椅子としての機能を発揮する。一方、椅子１０は、閉状態において、図６〜図１０に示すように、２枚の板を重ねたような板状に折り畳まれる。
【００３５】
以上説明した実施形態によれば、椅子１０は、１つの座面部２０と、２つの側面部３０と、を備えている。座面部２０は、板状に形成されており、平面視において直線状に形成された座面曲げ部２１を有し、この座面曲げ部２１を支点に２つに折り曲げ可能に構成されている。２つの側面部３０は、それぞれ板状に形成されおり、相互に対向して配置されている。各側面部３０は、座面曲げ部２１の延伸方向に対して直角方向つまり椅子１０の前後方向へ相互に開閉可能に構成されている。側面部３０は、椅子１０の開状態において座面部２０を支持する。
【００３６】
そして、椅子１０は、２つの側面部３０、３０が相互に離間して開状態になると、座面部２０が開いて座面が形成される。また、椅子１０は、２つの側面部３０、３０が相互に接近して閉状態になると、座面部２０が座面曲げ部２１を支点に２つに折れ曲がって折り畳まれる。
【００３７】
これによれば、椅子１０の主要な構成を、１の座面部２０と、２つの側面部３０、３０とによって構成することができる。そのため、椅子１０の部品点数を極力減らして簡易な構成とすることができる。また、椅子１０は、閉状態において、全体として２つに折り畳んだ座面部２０の厚みと２つの側面部３０、３０の厚みとを有する板状となる。そのため、椅子１０は、閉状態においてその厚みを極力薄くすることができる。その結果、椅子１０の収納性や携帯性が向上する。さらに、閉状態の椅子１０は板状であるため、例えば複数の椅子１０を重ねた場合であっても、かさばり難い。そのため、複数の椅子１０を重ねる場合における収納性や携帯性も向上する。
【００３８】
更に、椅子１０は、開状態になると、座面部２０が開いて座面曲げ部２１の延伸方向の両端部２０１が反り上がっていると共に中央部２０２が盛り上がったＷ字状の座面が形成される。すなわち、椅子１０の座面部２０は、開状態において使用者の臀部に極力沿った形状となる。これにより、使用者が椅子１０に座った際に、使用者の臀部と座面部２０との接触面積を極力大きくでき、使用者の体重を座面部２０の全体で極力均等に受けることができる。したがって、本実施形態によれば、椅子１０の使用時に、使用者の臀部に局所的に体重がかかることを防ぐことができる。その結果、本実施形態の椅子１０は、従来の折り畳み椅子に比べて座り心地が良く、長時間座り続けても疲労が蓄積され難くすることができる。
【００３９】
また、椅子１０は、開状態において、側面部３０の下端部つまり設置面から座面部２０の両端部１１１までの距離Ｈ１は、側面部３０の下端部つまり設置面から座面部２０の中央部１１２までの距離Ｈ２よりも長い。これによれば、座面部２０は、中央部１１２よりも高い位置にある両端部１１１によって、使用者の臀部を包み込むことができる。その結果、いわゆるホールド感が増し、椅子１０の座り心地が更に向上される。
【００４０】
ここで、椅子１０は、座面部２０で受けた使用者の体重を、側面部３０の下端部を介して椅子１０の設置面つまり地面に伝える。一方、使用者は、椅子１０に座っているときであっても、完全に静止しているわけではなく、姿勢を変えるために前後左右に揺れることがある。この場合、側面部３０の下端部全体のうちの特定の箇所、特には直線又は曲線の辺部となって地面に接触している箇所に局所的に荷重が集中してしまうと、側面部３０が荷重に耐えきれずに座屈してしまう可能性がある。
【００４１】
そこで、本実施形態において、椅子１０は、２つの側面部３０が相互に離間して開状態になると、図４に示すように、座面部２０が開いて座面が形成されると共に、側面部３０が底面視において座面曲げ部２１の延伸線上及び座面曲げ部２１に対する直角線上を頂点３５、３６とする四角形つまりひし形状に開口する。すなわち、側面部３０は、図４に示すように、椅子１０の開状態において、前後方向に延びる線Ｘ上及び左右方向に延びる線Ｙ上に頂点３５、３６を有するひし形に開口する。
【００４２】
これによれば、椅子１０は、使用者が前後左右に揺れた場合であっても、ひし形の前後左右の頂点３５、３６、つまり側面部３０が折れ曲がった角部３５、３６において荷重を受けることができる。そしてこの頂点３５、３６つまり側面部３０が折れ曲がった角部３５、３６は、単純な直線又は曲線の辺部に比べて耐荷重が大きい。したがって、本実施形態によれば、使用者が前後左右に揺れた場合であっても、側面部３０が荷重に耐えきれずに座屈してしまうことを極力防ぐことができ、その結果、椅子１０の耐荷重や安定性を更に向上させることができる。
【００４３】
また、側面部３０は、接続曲げ部３１と、接続領域３３と、側面領域３４と、を有している。接続曲げ部３１は、接続領域３３と側面領域３４との境界部分に形成されており、接続領域３３と側面領域３４とを折り曲げ可能にする溝部である。側面領域３４は、対向する他方の側面部３０に接続されておらず当該対向する他方の側面部３０から離間可能に構成された領域である。接続領域３３は、対向する側面部３０の接続領域３３に接続されて当該対向する側面部３０の接続領域３３から離間不可に構成された領域である。そして、接続曲げ部３１は、座面部２０側から側面部３０の下端部側へ向かってＳ字状及び逆Ｓ字状に湾曲している。
【００４４】
これによれば、開状態の椅子１０において、側面部３０の第２側面領域３４２を、接続曲げ部３１に沿った捻じれた形状にすることができる、これにより、第２側面領域３４２が座屈し難くなり、その結果、開状態の椅子１０の耐荷重を更に高くすることができる。椅子１０の耐荷重は、椅子１０のサイズや座面部２０及び側面部３０の厚み寸法によっても異なるが、例えば座面部２０及び側面部３０を約２ｍｍの厚みの板で本実施形態の椅子１０を構成した場合、１００ｋｇ以上の耐荷重を発揮させることができる。その結果、使用者が椅子１０に座った際の安定性の向上が図られる。
【００４５】
また、この場合、閉状態の椅子１０ついて見ると、図７に示すように、側面部３０における左右両端の膨出部３３２間の距離Ｌｂ２は、側面部３０の上端の長さ寸法Ｌｂ１とほぼ等しい。これによれば、折り畳み時の椅子１０について、膨出部３３２及び下端部における椅子１０の左右方向の幅寸法を極力抑えることができる。すなわち、折り畳んだ状態の椅子１０が全体として下方側が広がった台形形状になることを防ぐことができる。これにより、座面部２０を極力大きいサイズに確保しつつ、椅子１０を折り畳んだ際に鞄等に収納し易くすることができ、その結果、椅子１０の携帯性の更なる向上を図ることができる。
【００４６】
そして、本実施形態の椅子１０は、座面部２０と２つの側面部３０とが一体成型されている。すなわち、本実実施形態の椅子１０は、一枚の樹脂板を折り曲げ加工して構成されている。これによれば、椅子１０の部品点数を削減することができ、また、組立の手間も省くことができる。その結果、椅子１０の製造性を向上させることができ、椅子１０を低コストで効率良く製造することができる。
【符号の説明】
【００４７】
図面中、１０は折り畳み椅子、１１は境界曲げ部、２０は座面部、２０１は座面部の両端部、２０２は座面部の中央部、２１は座面曲げ部、３０は側面部、３１は接続曲げ部、３３は接続領域、３４は側面領域、を示す。
【図１】
2019130233.tif 000003
【図２】
2019130233.tif 000004
【図３】
2019130233.tif 000005
【図４】
2019130233.tif 000006
【図５】
2019130233.tif 000007
【図６】
2019130233.tif 000008
【図７】
2019130233.tif 000009
【図８】
2019130233.tif 000010
【図９】
2019130233.tif 000011
【図１０】
2019130233.tif 000012
【図１１】
2019130233.tif 000013
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
板状に形成され、平面視において直線状に形成された座面曲げ部を有し前記座面曲げ部を支点に２つに折り曲げ可能な座面部と、
板状に形成され、相互に対向して配置されて前記座面曲げ部の延伸方向に対して直角方向へ相互に開閉可能に構成され開状態において前記座面部を支持する２つの側面部と、を備え、
２つの前記側面部が相互に離間して開状態になると前記座面部が開いて前記座面部において前記座面曲げ部の延伸方向の両端部が反り上がっていると共に中央部が盛り上がったＷ字状の座面が形成され、２つの前記側面部が相互に接近して閉状態になると前記座面部が前記座面曲げ部を支点に２つに折れ曲がって折り畳まれる、
折り畳み椅子。
【請求項２】
前記開状態において、前記側面部の下端部から前記座面部の前記両端部までの距離は、前記側面部の下端部から前記座面部の前記中央部までの距離よりも長い、
請求項１に記載の折り畳み椅子。
【請求項３】
前記座面部と２つの前記側面部とは、一体成型されている、
請求項１又は２に記載の折り畳み椅子。